(57)【要約】【課題】  筒形状の筐体部の小型化、薄型化と、開口部を塞ぐ部材の取り付け強度のアップとを両立させるとともに、筐体部端部の切断面の加工を容易にすることができる筐体装置を提供する。【解決手段】  筐体部１２の内部には、内部フレーム３０が配置される。内部フレーム３０内には、レンズユニット１４及び回路基板が収容される。内部フレーム３０は、筐体部１２内の挿入された後、所定の位置に固定される。筐体部１２の開口端１２Ｃには、蓋部材４０が取り付けられる。蓋部材４０は、フレーム４２と、ケース蓋４４とを含んでいる。ケース蓋４４は、フレーム４２に取り付けられた回転軸４６の周りに回動するように取り付けられる。フレーム４２は、端面１２Ｃ′を覆うように取り付けられ、上記ネジ穴２８及び３４にネジ止めされる。これにより、フレーム４２の開口４２Ａと、バッテリ収納ケース３２のバッテリ挿入口３２Ａとが連通する。【選択図】      図４
2009175188.tif 000002
【特許請求の範囲】
【請求項１】
少なくとも１つの面が他の面よりも厚く、少なくとも一方の端部が開口部である筒形状の筐体部と、
前記筐体部の内部に収容されて固定される第１のフレーム部材と、
前記開口部に沿う形状の第２のフレーム部材であって、前記第１のフレーム部材にネジ止めされるとともに、前記筐体部の他の面よりも厚い面の端面にネジ止めされる第２のフレーム部材と、
前記第２のフレーム部材に開閉可能に取り付けられた蓋と、
を備えることを特徴とする筐体装置。
【請求項２】
前記筐体部又は前記第１のフレームの互いに当接する面に、前記開口部を囲むように取り付けられたパッキンを更に備えることを特徴とする請求項１記載の筐体装置。
【請求項３】
少なくとも一方の端部が開口部である筒形状の筐体部と、
透明又は半透明の部材により作成され、前記開口部を塞ぐように取り付けられて、前記開口部の周りの端面を覆う第１の部材と、
前記筐体部と略同じ色且つ略同じ光沢の材料によって前記開口部の輪郭に沿う形状に形成され、前記第１の部材に固定される第２の部材と、
を備えることを特徴とする筐体装置。
【請求項４】
前記筐体部又は前記第１の部材の互いに当接する面に、前記開口部を囲むように取り付けられたパッキンを更に備えることを特徴とする請求項３記載の筐体装置。
【請求項５】
前記筐体部は、金属製であることを特徴とする請求項３又は４記載の筐体装置。
【請求項６】
前記第２の部材は、金属製であることを特徴とする請求項３から５のいずれか１項記載の筐体装置。
【請求項７】
前記筐体部は、押し出し成形により作成されることを特徴とする請求項１から６のいずれか１項記載の筐体装置。
【発明の詳細な説明】
【技術分野】
【０００１】
本発明は筐体装置に係り、特に中空の筒形状の筐体部を有する筐体装置に関する。
【背景技術】
【０００２】
特許文献１には、押し出し工法によって成形されてなる筐体部を備えた筐体装置が開示されている。
【０００３】
特許文献２には、センタ枠体と、その開口部を覆う蓋体とを備え、センタ枠体の蓋体と接触する端面部に嵌合溝を設けて該嵌合溝に蓋体と当接されるシール部材を取り付けた防水型電子機器が開示されている。
【特許文献１】特開平１１−１１２１６０号公報
【特許文献２】特開２００６−１３４５１４号公報
【発明の開示】
【発明が解決しようとする課題】
【０００４】
電子カメラのような機器を作成する際には、機器の筐体部を小型化、薄型化することが求められている。筒形状の筐体部を用いる場合、筐体部端部の開口部を塞ぐ部材の取り付け強度を確保することと、筐体部の小型化、薄型化を両立させることは困難であった。
【０００５】
また、筒形状の筐体部を金属により作成した場合、筐体部端部の切断面に対して面取り加工を含む所定の加工を施す必要がある。しかしながら、薄い筐体部の切断面に面取り加工を施すのはコストがかかるという問題がある。
【０００６】
本発明はこのような事情に鑑みてなされたもので、筒形状の筐体部の小型化、薄型化と、開口部を塞ぐ部材の取り付け強度のアップとを両立させるとともに、筐体部端部の切断面の加工を容易にすることができる筐体装置を提供することを目的とする。
【課題を解決するための手段】
【０００７】
上記課題を解決するために、本発明の第１の態様に係る筐体装置は、少なくとも１つの面が他の面よりも厚く、少なくとも一方の端部が開口部である筒形状の筐体部と、前記筐体部の内部に収容されて固定される第１のフレーム部材と、前記開口部に沿う形状の第２のフレーム部材であって、前記第１のフレーム部材にネジ止めされるとともに、前記筐体部の他の面よりも厚い面の端面にネジ止めされる第２のフレーム部材と、前記第２のフレーム部材に開閉可能に取り付けられた蓋とを備えることを特徴とする。
【０００８】
上記第１の態様によれば、蓋が取り付けられた第２のフレーム部材を筐体部の端面及び第１のフレーム部材にネジ止めすることにより、筐体部の小型化、薄型化と、蓋の取り付け強度のアップとを両立させることができる。
【０００９】
本発明の第２の態様に係る筐体装置は、上記第１の態様において、前記筐体部又は前記第１のフレームの互いに当接する面に、前記開口部を囲むように取り付けられたパッキンを更に備えることを特徴とする。
【００１０】
本発明の第３の態様に係る筐体装置は、少なくとも一方の端部が開口部である筒形状の筐体部と、透明又は半透明の部材により作成され、前記開口部を塞ぐように取り付けられて、前記開口部の周りの端面を覆う第１の部材と、前記筐体部と略同じ色且つ略同じ光沢の材料によって前記開口部の輪郭に沿う形状に形成され、前記第１の部材に固定される第２の部材とを備えることを特徴とする。
【００１１】
上記第３の態様によれば、上記第１の態様で述べた効果に加え、筐体部の端面を第１の部材で覆うようにすることにより、端面の面取り加工の手間を省くことができる。また、筐体部と略同じ色及び光沢を有する第２の部材で開口を隠すとともに、透明又は半透明の第１の部材を通して筐体部の端面が見えるようにしたので、筐体部の端部の外観に筐体部の色味を出すことができ、外観の高級感を出すことができる。
【００１２】
本発明の第４の態様に係る筐体装置は、上記第３の態様において、前記筐体部又は前記第１の部材の互いに当接する面に、前記開口部を囲むように取り付けられたパッキンを更に備えることを特徴とする。
【００１３】
本発明の第５の態様に係る筐体装置は、上記第３又は４の態様において、前記筐体部は、金属製であることを特徴とする。
【００１４】
本発明の第６の態様に係る筐体装置は、上記第３から５の態様において、前記第２の部材は、金属製であることを特徴とする。
【００１５】
本発明の第７の態様に係る筐体装置は、上記第１から６の態様において、前記筐体部は、押し出し成形により作成されることを特徴とする。
【発明の効果】
【００１６】
本発明によれば、筐体部の小型化、薄型化と、蓋の取り付け強度のアップとを両立させることができる。また、本発明によれば、筐体部端部の切断面の加工を容易にすることができる。
【発明を実施するための最良の形態】
【００１７】
以下、添付図面に従って本発明に係る筐体装置の好ましい実施の形態について説明する。なお、以下の実施形態では、本発明を電子カメラに適用した例について説明するが、本発明はこれに限定されるものではなく、筒状の筐体部と、筐体部端部の開口部を塞ぐ部材とを備える機器に適用することも可能である。
【００１８】
［第１の実施形態］
図１は、本発明の第１の実施形態に係る電子カメラの背面の外観を示す斜視図である。
【００１９】
図１に示すように、電子カメラ１０は、筐体部１２、レンズユニット１４、表示部１６及び操作スイッチ２０を含む操作ユニット１８を備えている。
【００２０】
筐体部１２は、中空の筒状であり、例えば、金属（例えば、アルミニウム、ステンレス又はこれらを含む合金）を押し出し成形することにより一体形成される。筐体部１２の内部には、撮影レンズ１４Ａ及び撮像素子を備えたレンズユニット１４と、電子カメラ１０の動作を制御するＣＰＵ、メモリ、画像処理回路、バッテリケース及び各種の入出力インターフェイス（例えば、各種の外部接続端子、メモリカードスロット）を備えた回路基板（図示せず）が収容される。
【００２１】
図１に示すように、筐体部１２の背面１２Ａには、第１の開口部２２及び第２の開口部２４が形成されている。また、図１に示すように、筐体部１２の正面１２Ｂには、レンズユニット１４に設けられたレンズ１４Ａを筐体正面に露呈させるための第３の開口部２６が形成されている。第１の開口部２２、第２の開口部２４及び第３の開口部２６は、例えば、機械加工、プレス加工、プレス打ち抜き加工により形成される。
【００２２】
筐体部１２の背面１２Ａは、他の３面と比較して厚くなっており、第１の開口部２２及び第２の開口部２４を形成しても十分な強度が得られるようになっている。
【００２３】
図２は、筐体部１２の開口端１２Ｃを示す斜視図であり、図３は、筐体部１２の開口端１２Ｃに蓋部材を取り付けた状態を示す斜視図である。また、図４（ａ）は、図３のａ−ａ断面図であり、図４（ｂ）は、図３のｂ−ｂ断面図である。
【００２４】
図２に示すように、筐体部１２の他の３面より厚い背面１２Ａの端面１２Ａ′は、押し出し成形時の切断面である。端面１２Ａ′には、ネジ穴２８が形成されている。
【００２５】
図４に示すように、筐体部１２の内部には、内部フレーム３０が配置される。内部フレーム３０内には、レンズユニット１４及び回路基板（不図示）が収容される。図４（ｂ）に示すように、内部フレーム３０は、筐体部１２内の挿入された後、所定の位置に固定（ネジ止め）される。
【００２６】
内部フレーム３０の筐体部１２の開口端１２Ｃから露出する面には、バッテリ収納ケース３２のバッテリ挿入口３２Ａ及びネジ穴３４が形成されている。
【００２７】
図３に示すように、筐体部１２の開口端１２Ｃには、バッテリ収納ケース３２のケース蓋として機能する蓋部材４０が取り付けられる。蓋部材４０は、フレーム４２と、ケース蓋４４とを含んでいる。ケース蓋４４は、フレーム４２に取り付けられた回転軸４６の周りに回動するように取り付けられる。ケース蓋４４は、閉じられたとき（図４（ｂ）の破線）に不図示のロック機構により、フレーム４２に固定される。
【００２８】
フレーム４２は、開口端１２Ｃの端面１２Ｃ′を覆う形状であり、中央には開口４２Ａが形成される。フレーム４２は、端面１２Ｃ′を覆うように取り付けられ、上記ネジ穴２８及び３４にネジ止めされて筐体部１２及び内部フレーム３０に対して固定される。これにより、フレーム４２の開口４２Ａと、バッテリ収納ケース３２のバッテリ挿入口３２Ａとが連通する。なお、フレーム４２で開口端１２Ｃの端面１２Ｃ′の全面を覆うようにしてもよい。
【００２９】
本実施形態によれば、蓋部材４０を筐体部１２の端面１２Ａ′及び内部フレーム３０にネジ止めすることにより、ケース蓋４４を引っ張って開くときに加えられる力に対する引っ張り強度を上げることができる。これにより、筐体部１２の小型化、薄型化と、蓋部材４０の取り付け強度のアップとを両立させることができる。
【００３０】
なお、本実施形態では、蓋部材４０をバッテリ収納ケース３２のケース蓋としたが、例えば、メモリカードの収納ケースのケース蓋、又は接続端子（例えば、電源ケーブル又はＵＳＢケーブルの接続端子）のカバーにも本発明を適用することができる。
【００３１】
次に、筐体部１２の開口端１２Ｄを塞ぐ部材について説明する。図５は、電子カメラ１０の開口端１２Ｄを示す斜視図であり、図６は、図５の６−６断面図である。また、図７は、開口端１２Ｄに取り付けられる遮蔽部材を示す平面図である。
【００３２】
図７に示すように、遮蔽部材５０は、ベース部材５２と、目隠し部材５４とが貼り合わされて作成される。図６に示すように、ベース部材５２及び目隠し部材５４は、内部フレーム３０にネジ止めされて固定される。
【００３３】
ベース部材５２は、透明又は半透明の材料（例えば、樹脂、ポリカーボネート）を用いて作成される。ベース部材５２は、筐体部１２の開口端１２Ｄの端面（切断面）１２Ｄ′の全面を覆うように取り付けられる。
【００３４】
目隠し部材５４は、色及び光沢が略同じ材料（例えば、筐体部１２と同じ材料で作成された板金）を用いて作成される。目隠し部材５４は、筐体部１２の開口端１２Ｄの開口１２Ｄ″と略合同な形状であり、開口端１２Ｄの開口１２Ｄ″を覆うように取り付けられる。即ち、目隠し部材５４は、ベース部材５２を通して筐体部１２の内部が見えないようにする目隠しの役割を果たす。
【００３５】
本実施形態によれば、筐体部１２の端面１２Ｄ′をベース部材５２で覆うようにすることにより、端面１２Ｄ′の面取り加工の手間を省くことができる。また、筐体部１２と略同じ色及び光沢を有する目隠し部材５４で開口１２Ｄ″を隠すとともに、透明又は半透明のベース部材５２を通して金属の切断面が見えるようにしたので、筐体部１２の端部の外観に金属の色味を出すことができ、外観の高級感を出すことができる。
【００３６】
［第２の実施形態］
次に、本発明の第２の実施形態について説明する。なお、以下の説明において、上記第１の実施形態と同様の構成については同一の符号を付して説明を省略する。
【００３７】
図８は、本発明の第２の実施形態に係る蓋部材４０の外観を示す斜視図である。図９は、筐体部１２に蓋部材４０及び遮蔽部材５０を取り付けた状態を示す断面図である。
【００３８】
図８及び図１０に示すように、本実施形態に係る蓋部材４０のフレーム４２の筐体部１２と当接する面には、溝６０が形成されている。溝６０の内部には、パッキン６２が嵌め込まれている。パッキン６２は、リング状であり、フレーム４２が筐体部１２の開口端１２Ｃに嵌め込まれたときに押しつぶされる。
【００３９】
また、図９に示すように、本実施形態に係る遮蔽部材５０の筐体部１２と当接する面には、溝７０が形成されており、溝７０の内部には、パッキン７２が嵌め込まれている。パッキン７２は、リング状であり、遮蔽部材５０が筐体部１２の開口端１２Ｄに嵌め込まれたときに押しつけられる。これにより、筐体部１２の内部が気密に保たれるようになっている。
【００４０】
図１０は、本発明の第２の実施形態に係る筐体部１２の生産方法を示す断面図である。まず、図１０（ａ）に示すように、金属の押し出し成形により筒状の筐体部１２′が作成される。次に、図１０（ｂ）に示すように、開口端１２Ｃ及び１２Ｄの内周面が切削加工されて、それぞれ切削面６２Ａ及び７２Ａが形成される。そして、蓋部材４０及び遮蔽部材５０がそれぞれ開口端１２Ｃ及び１２Ｄに取り付けられて、図９に示すように、切削面６２Ａ及び７２Ａにそれぞれパッキン６２及び７２が押しつけられる。
【００４１】
本実施形態によれば、蓋部材４０及び遮蔽部材５０の取り付け強度を更に高めることができる。更に、本実施形態によれば、筐体部１２の防滴性又は防水性を高めることができる。
【００４２】
なお、パッキン６２及び７２の取り付け位置については、図９の例に限定されるものではなく、例えば、図１１に示すように、蓋部材４０及び遮蔽部材５０の嵌入方向に対して略垂直な面に取り付けるようにしてもよい。また、パッキンは、筐体部１２に取り付けるようにしてもよいし、蓋部材４０及び遮蔽部材５０と筐体部１２の両方に取り付けるようにしてもよい。
【図面の簡単な説明】
【００４３】
【図１】本発明の第１の実施形態に係る電子カメラの背面の外観を示す斜視図
【図２】筐体部１２の開口端１２Ｃを示す斜視図
【図３】筐体部１２の開口端１２Ｃに蓋部材を取り付けた状態を示す斜視図
【図４】図４（ａ）…図３のａ−ａ断面図、図４（ｂ）…図３のｂ−ｂ断面図
【図５】電子カメラ１０の開口端１２Ｄを示す斜視図
【図６】図５の６−６断面図
【図７】開口端１２Ｄに取り付けられる遮蔽部材を示す平面図
【図８】本発明の第２の実施形態に係る蓋部材４０の外観を示す斜視図
【図９】筐体部１２に蓋部材４０及び遮蔽部材５０を取り付けた状態を示す断面図
【図１０】本発明の第２の実施形態に係る筐体部１２の生産方法を示す断面図
【図１１】パッキンの取り付け位置の別の実施例を示す断面図
【符号の説明】
【００４４】
１０…電子カメラ、１２…筐体部、１４…レンズユニット、１６…表示部、１８…操作ユニット、２０…操作スイッチ、３０…内部フレーム、４０…蓋部材、４２…フレーム、４４…ケース蓋、５０…遮蔽部材、５２…ベース部材、５４…目隠し部材
【図１】
2009175188.tif 000003
【図２】
2009175188.tif 000004
【図３】
2009175188.tif 000005
【図４】
2009175188.tif 000006
【図５】
2009175188.tif 000007
【図６】
2009175188.tif 000008
【図７】
2009175188.tif 000009
【図８】
2009175188.tif 000010
【図９】
2009175188.tif 000011
【図１０】
2009175188.tif 000012
【図１１】
2009175188.tif 000013